(57)【特許請求の範囲】
【請求項１】
試し刷りされる少なくとも１つの見本（８）を受け入れるための分析テーブル（７）を含む制御デスクから輪転印刷機（１７）において１つまたは複数の巻取り紙の印刷を制御するための制御装置であって、オペレータ（１１）と前記印刷機（１７）の個々の構成要素との間にインターフェースシステム（１２）を有し、該インターフェースシステムは前記印刷機のすべての機能を選択するための選択装置（９）を備えている制御装置において、
試し刷りされるべき見本（８）に割り当てられている情報を読み取りかつ探し出すための自動ページ選択装置（１３）を有しており、該情報はページ番号または巻取り紙番号、該当する新聞のセクション、版、形式、または該当する巻取り紙のページであり、これらの情報は、前記見本（８）上へ印刷された像内に組み込まれたコードの形をしており、
印刷機の構造と、印刷される印刷物の構造と、ターニングバーの傾斜構造と、様々な印刷機構成要素の制御パラメータと、印刷工程の変数を表すパラメータとに関するデータを記憶する手段（１４）を有しており、
一方では前記自動ページ選択装置（１３）によって把握された情報から、他方では前記オペレータ（１１）によって前記制御デスクを介して入力され前記インターフェースシステム（１２）から転送される情報から、前記記憶手段（１４）に記憶されたデータにおいて、前記印刷機（１７）の構成要素と該構成要素の制御と割り当てられている変数の表示とに関するデータを選び出しかつこれらのデータを前記インターフェースシステム（１２）へ伝達することができる問い合わせ手段（１５）を有しており、ここで前記インターフェースシステム（１２）から転送される情報には前記印刷機により実行されるジョブについての選択と、指示されもしくは変更される印刷機の機能の選択と、色選択とが含まれており、前記インターフェースシステム（１２）は、前記印刷機の前記制御デスクにおいて該問い合わせ手段（１５）によって探し出された変数を指示するのに適しており、かつオペレータ（１１）が前記印刷機の前記制御デスクから前記指示されかつ選び出された変数を操作することができる手段を有しており、かつ
制御および管理システム（１６）を有しており、該制御および管理システムは、前記インターフェースシステム（１２）を介して前記問い合わせ手段（１５）により選び出されたデータ並びにオペレータ（１１）の、前記印刷機の前記制御デスクにおける、前記問い合わせ手段（１５）により選び出された変数に対する操作を考慮しかつ該データを前記輪転印刷機（１７）に伝送して、該印刷機（１７）の前記選択された構成要素が指定されかつこれにより前記選び出された変数が印刷工程において変更されるようにする
ことを特徴とする制御装置。
【請求項２】
前記制御デスクの前記分析テーブルの下方に列状に設けられた複数のボタン（３５ａ，３５ｂ）が設けられており、該ボタンは前記印刷機の様々な印刷ユニットのインキつぼ調整ねじを開閉して、検査用の各印刷見本に供給されるインキ量を領域毎に調節するものであり、
前記分析テーブル（７）はマーキング（３６）を有しており、前記自動ページ選択装置（１３）は、前記テーブル上に置かれた見本の角部の、前記マーキングに対する位置を探し出すとともに、該位置を前記問い合わせ手段（１５）へ伝送するようになっており、該問い合わせ手段は、該位置を前記インターフェースシステム（１２）へ転送して、前記調節ボタン（３５ａ，３５ｂ）が前記分析テーブル（７）における前記マーキング（３６）に対する前記見本の前記位置に応じて前記調節ボタン（３５ａ，３５ｂ）が割り当てられるようにする請求項１に記載の制御装置。
【請求項３】
前記自動ページ選択装置（１３）は、カメラまたはセンサなどの光学式読み取り装置を含んでいる請求項１または２に記載の制御装置。
【請求項４】
前記見本に印刷された前記像に組み込まれた前記コードは、線コードとして形成されている請求項１〜３のいずれか１項に記載の制御装置。
【請求項５】
前記見本に印刷された前記像に組み込まれた前記コードは、点コードとして形成されている請求項１〜３のいずれか１項に記載の制御装置。
【請求項６】
１つまたは複数の巻取り紙における両面の印刷を行うための輪転印刷機（１７）であって、少なくとも次の構成要素：印刷ユニット（３）、側部および周囲見当合わせ装置、ターニングバーセットを備えた巻き取り紙走行路、折りたたみ装置（１０）、制御デスク（６）を備えている輪転印刷機において、
前記構成要素の１つにおける探し出された確認部材をオペレータが確認して、輪転印刷機の特定の機能に相応する、印刷工程の規定の変数が変更されるようにする、請求項１から５までのいずれか１項記載の、１つまたは複数の巻取り紙の印刷のための制御装置を含んでいる輪転印刷機。
【発明の詳細な説明】
【０００１】
【発明の属する技術分野】
本発明は、一般に輪転印刷機に関し、特に１つまたは複数の巻取り紙の印刷を制御するための装置およびこのような装置を備えた印刷機に関する。
【０００２】
【従来の技術】
公知技術の印刷機においては、１つまたは複数の巻取り紙の印刷における制御と管理は、遠隔制御デスクを介してオペレータによって行われる。この制御デスクは分析テーブルを含んでおり、オペレータは検査用の印刷見本をこの分析テーブルの上に置く。
【０００３】
この制御デスクは、また、２列に並べられた複数のボタンを備えた、１つまたは複数の巻取り紙の印刷を制御するための装置を含んでいる。これらのボタンは、分析テーブルの下方に直接配置され、１つまたは複数の巻取り紙に供給されるインキ量を領域（もしくはゾーン）ごとに調節するために様々な印刷ユニットのインキつぼ調整ねじの開閉を個別に制御する。
【０００４】
この調節ボタンは、所定の位置に配置されており、そして最終的にはインキつぼ調整ねじを巻取り紙の一領域の印刷に相応して制御するように割り当てられている。従って、オペレータは印刷された見本のインキ盛り（もしくはインキング）を領域ごとに調節するために、用いる印刷機の特性に合わせて特定の方法で必ずこの見本を分析テーブルの上へ置き、この見本の各領域が、巻取り紙の各領域にインキを供給するためのインキつぼ調整ねじの制御に割り当てられている調節ボタンに対して位置決めされるようにしなければならない。
【０００５】
特定の方法によるこの位置決め、すなわち、分析テーブル上でこの見本を中心位置に合わせ、右もしくは左に調節するような位置決めは、面倒であるとともに比較的長い時間がかかってしまう。
【０００６】
同様に、この位置決めは、制御装置の調節ボタンに対して見本を正しい位置に置くために、制御する印刷機についてオペレータ自身が熟知していることが前提となっている。
【０００７】
さらに、この制御装置は、オペレータと輪転印刷機との間に、インキ盛り、湿潤、インキ被覆、１つまたは複数の巻取り紙の振る舞い（もしくは特性）、見本上に印刷された像の、該見本のカットに対する相対位置、見本に形成される折り目の正確さなどの、輪転印刷機におけるあらゆる機能を選択するための選択装置を有するインターフェース装置を備えている。
【０００８】
オペレータは制御デスクから制御装置を用いて輪転印刷機の確認部材を操作して、前述の各機能に応じた印刷工程の変数を変更することができる。
【０００９】
見本に供給されるインキ量を変更し、それによりその印刷工程におけるインキ盛りを調節するために、例えば、オペレータは、印刷ユニットのインキつぼのインキつぼ調整ねじのモータを操作することができる。
【００１０】
オペレータは、例えば印刷機における巻き取り紙走行用のターニングバーのモータを操作して、見本に印刷された像の、カットに対する相対位置、または、カット位置の、折り目に対する相対位置を変更することができる。このことは、印刷される像をページまたはカットに関連して位置決めするための機能に相応したものである。
【００１１】
さらに、オペレータと輪転印刷機との間で遠隔制御デスクに現時点で備えられているインターフェース装置は、印刷機の操作部材の制御のためにオペレータが所定の数のデータを入力して遠隔制御を実行しなければならない構成となっている。
【００１２】
最初に、オペレータは、「物理モードにおける選択」として、巻取り紙番号、巻取り紙ページ（両面）、カラー番号、オペレータが操作する印刷機構成要素に関する情報、すなわちインキつぼ番号またはターニングバー番号または湿潤装置番号などの情報を、制御装置のインターフェース装置へ入力する処理を行う。
【００１３】
この後、オペレータは、インターフェース装置の選択装置により、印刷機の機能を選択する。この機能とは、インキ盛り機能、湿潤機能、インキ被覆機能、および巻取り紙挙動機能、である。
【００１４】
輪転印刷機で印刷される印刷物が雑誌である場合、オペレータは、「物理モードにおける選択」に代わって、制御装置のインターフェース装置へ、巻取り紙番号、巻取り紙ページ(両面)、カラー番号を入力することができる。この方法は、「ページモードにおける選択」と称される。
【００１５】
輪転印刷機によって印刷される印刷物が新聞である場合には、オペレータは、ページ番号、カラー番号、その都度の新聞のセクション、版および形式を入力することができる。
【００１６】
「ページモードにおける選択」または「ページモードにおける選択」の過程を実行した後、印刷機、相応する操作部材の機能の選択は、制御装置の支援により起動される。
【００１７】
【発明が解決しようとする課題】
この一連の過程は、時間が長くかかるとともに、オペレータが運転する輪転印刷機について熟知していることを前提としている。その理由は、オペレータが印刷方法の変数を変更する場合、オペレータは、分析テーブル上に置かれた印刷見本の検査に基づいて、適当な装置構成部材を探し出さなければならないからである。この場合、オペレータは、特定の印刷物を得るために、相応するページ番号および、ターニングバーの傾斜構造、すなわち、印刷機の構造についての自らの知識から出発して探し出さなければならない。
【００１８】
この前述の過程は、誤りにつながることもある絡み合った思考能力を必要とし、そして、比較的長いデータ入力時間を必要とする。この比較的長いデータ入力時間は、印刷物損紙が多くなることを防止するために最短時間内に印刷見本を操作するというオペレータの目的を妨げるものである。
【００１９】
従来技術における前述のような欠点を取り除くために、本発明は、輪転印刷機における１つまたは複数の巻取り紙についての印刷を制御するための新規な制御装置を提案するものである。
【００２０】
【課題を解決するための手段】
この制御装置にあっては、オペレータが操作する印刷機の形態について熟知していなくとも、印刷工程において印刷機構成部材の操作部材を非常に高速に操作できるようにするために、オペレータによって遠隔制御デスクで把握すべきデータの数を著しく減少させることができる。
【００２１】
本発明は特に次のような制御装置を提供するものである。
【００２２】
試し刷りされる少なくとも１つの見本を受け入れるための分析テーブルを含む制御デスクから輪転印刷機の制御装置において１つまたは複数の巻取り紙の印刷を制御するための装置であって、オペレータと印刷機の個々の構成要素とに対するインターフェースシステムを有し、印刷機のすべての機能を選択するための選択装置を備えている制御装置において、
試し刷りされた見本に割り当てられている情報を読み取り、探し出すための自動ページ選択装置を有しており、該情報はページ番号または巻取り紙番号、該当する新聞のセクション、版、形式、該当する巻取り紙のページであり、これらの情報は、見本上へ印刷された像内に組み込まれたコードの形をしており、
印刷機の構造と、印刷される印刷物の構造と、ターニングバーの傾斜構造と、様々な印刷機構成要素の制御パラメータと、印刷工程の変数を表示するパラメータとに関するデータを記憶する手段を有しており、
一方では自動ページ選択装置によって把握された情報から、他方ではオペレータによって制御デスクを介して入力されインターフェースシステムから転送される情報から、前記記憶手段に記憶されたデータ中から、印刷機の構成要素と、構成部品の制御と、割り当てられている変数の表示とに関するデータを選び出す問い合わせ手段を有しており、ここでインターフェースシステムから転送される情報には、印刷機により実行されるジョブについての選択と、表示され変更される印刷機の機能の選択と、色選択とが含まれており、インターフェースシステムは、印刷機の制御デスクにおいて該問い合わせ手段によって探し出された変数を指示するのに適しており、かつオペレータが印刷機の制御デスクから指示されかつ選び出された変数を操作することができる手段を有しており、かつ
制御および管理システムを有しており、該制御および管理システムはインターフェースシステムを介して問い合わせ手段により選び出されたデータ並びにオペレータの、印刷機の制御デスクにおける、問い合わせ手段により選び出された変数に対する操作を考慮しかつ該データを輪転印刷機に伝送して、該印刷機の選択された構成要素が指定されかつこれにより選び出された変数が印刷工程において変更されるようにすることを特徴とする制御装置である。
【００２３】
これにより、オペレータは、本発明の制御装置の支援により、制御する輪転印刷機についての非常に正確な知識がなくても、簡易な方法で、印刷機の構成要素の操作部材を最短時間で操作することが可能になる。この場合、オペレータは、少数のデータを、制御デスクでインターフェースシステムに入力するとともに、指示および／または変更されるべき機能、すなわち色選択を入力するようになっている。そしてこの際、自動ページ選択装置は、見本に関連するデータの識別を自動的に行うことが可能であり、問い合わせ手段は、これら情報およびオペレータによって入力されたデータに基づき、記憶手段内で、相応する印刷機構成要素に関するデータの選択と、変更される印刷工程における、前もって把握された機能に相応する変数の選択とを可能にする。この場合、この変数は、巻取り紙の印刷工程においてこの変数を変更するためには、オペレータが制御デスクを介して操作するだけで済むように指示される。
【００２４】
本発明の制御装置における好ましい実施態様によると、制御デスクの分析テーブルの下方に列状に設けられた複数のボタンが設けられており、該ボタンは印刷機の様々な印刷ユニットのインキつぼ調整ねじを開閉して、検査用の各印刷見本に供給されるインキ量を領域毎に調節するものであり、分析テーブルはマーキングを有しており、自動ページ選択装置は、テーブル上に置かれた見本の角部の、マーキングに対する位置を探し出すとともに、該位置を前記問い合わせ手段へ伝送するようになっており、該問い合わせ手段は、該位置を前記インターフェースシステムへ転送して、調節ボタンが分析テーブルにおけるマーキングに対する見本の前記位置に応じて調節ボタンが割り当てられるようにする。
【００２５】
これによると、オペレータは、見本の特別な領域に相応する制御ボタンを介してインキつぼ調整ねじを操作するために、任意の方法（中心に置き、右または左を固定する）で見本を分析テーブル上へ置く必要がない。その理由は、任意の方法で見本が分析テーブル上へ置かれる場合、自動ページ選択装置は、見本の角部の位置を基準マークとの関連において正確に把握するからであり、そしてまた、次に、インキつぼ調整ねじに対する調節ボタンの割り当ては、分析テーブル上での、基準マークとの関連における見本の位置にしたがって可能となるからである。
【００２６】
これにより、オペレータは印刷検査工程において多くの時間を節約することができるとともに、輪転印刷機の構造を知るためにオペレータが払うべき労力を低減することができる。
【００２７】
本発明は、同じく、１つまたは複数の巻取り紙における両面の印刷を行うための輪転印刷機であって、少なくとも次の構成要素：印刷ユニット、側部および周囲見当合わせ装置、ターニングバーセットを備えた巻き取り紙走行路、折りたたみ装置、制御デスクを備えている輪転印刷機において、輪転印刷機の特定の機能に相応する、印刷工程における特定の変数を変更するために、請求項１から５までのいずれか１項記載の制御装置であって、前記構成要素のうちの１つにおける探し出された確認部材をオペレータが確認できる、１つまたは複数の巻取り紙の印刷のための制御装置を含んでいることを特徴とする輪転印刷機を提供する。
【００２８】
【発明の実施の形態】
以下、本発明の実施の形態について図面を参照して詳細に説明する。
【００２９】
図１では、２つのロールから引き出された２つの巻き取り紙１，２を有する輪転印刷機１７の主な構成要素が概略的に示されている。
【００３０】
これらの巻き取り紙１，２は、張った状態とされ、印刷ユニット３で印刷されるためにこの印刷ユニット３を通して送られるようになっている。
【００３１】
各々の印刷ユニット３は、各々の巻取り紙の表面を印刷するための、版胴と、ブランケット胴と、インキ装置と、湿潤装置とから構成される上部４を備えており、そしてまた同様に、各々の巻取り紙の裏面を印刷するための、版胴と、ブランケット胴と、インキ装置と、湿潤装置とから構成される下部５を備えている。
【００３２】
ここに示した例では、巻取り紙１は、１色で印刷され、巻取り紙２は、マゼンタ、イエロー、シアン、およびブラックのような、並置された４色のインキで印刷される。
【００３３】
さらに、輪転印刷機１７は、側方および周囲見当合わせ装置（図示せず）を有しており、この見当合わせ装置は、場合によっては各インキの並列状態を再び不完全なものとすることがある。
【００３４】
雑誌または新聞を形成するために折りたたみユニット１０内で任意の可能な組み合わせにしたがって巻取り紙が折りたたまれたり切断される前に、巻取り紙は、印刷ユニットを出る際に様々な経路にしたがって進行し、そして、例えばターニングバーセットの支援によって反転されて互いに重なり合った状態とすることができる。
【００３５】
図１からわかるように、巻取り紙を印刷する方法をオペレータが制御し管理できるような遠隔制御デスク６が備えられている。
【００３６】
この遠隔制御デスク６は、試し刷りされた少なくとも１つの見本８を受け入れるための分析テーブル７を含んでいる。
【００３７】
この遠隔制御デスク６は、オペレータと様々な印刷機構成部品との間に、印刷機の複数の機能を選択するための選択装置９を有するインターフェースシステムを備える、巻取り紙印刷用の制御装置から構成されている。
【００３８】
選択装置９によって選択され得る、輪転印刷機１７の様々な機能は、例えば、インキ盛りと、湿潤と、インキ被覆と、単数または複数の巻取り紙の姿勢と、紙面またはカットに対する印刷像の位置と、見本に備えられた折り目の正確さである。
【００３９】
図１に示された制御デスク６にあっては、制御装置は、試し刷りされる各々の見本に供給されるインキ量を領域ごとに調整させるため、輪転印刷機の様々な印刷ユニット３においてインキつぼ調整ねじの開閉を個別に制御するための、列をなすボタン３５ａ，３５ｂの群３５を含んでいる。
【００４０】
このボタン群３５は、特に、インキ量を増加させるためにインキつぼ調整ねじを開くことが個別に制御できるととともに印刷ユニット３のインキ着けローラを巻き取り紙１または巻き取り紙２上へ置き換えるような上側のボタン３５ａと、インキ量を減少させるためにインキつぼ調整ねじを閉じることが個別に制御できるとともにインキ着けローラを巻き取り紙１または巻き取り紙２上へ移動させる下側のボタン３５ｂとを有している。
【００４１】
遠隔制御デスク上で分析テーブルの下方に互いに列をなすボタン３５ａからボタン３５ｂまでの間隔は、インキつぼ内のインキ量の増加または減少を確実に行う各々のインキつぼ調整ねじの物理的なピッチに相応している。
【００４２】
図２に基づき、巻き取り紙１，２の印刷を行うための制御装置を詳細に説明すると、この制御装置は、遠隔制御デスクから印刷工程の変数を操作することを可能にし、この場合、印刷機の個々の構成要素の操作部材を制御することによって変数を変更することができるとともに巻き取り紙の印刷を調節することができる。
【００４３】
この印刷機における個々の物理的な構成要素は、例えば、インキつぼ、湿潤装置、版胴の版および横断装置における側部および周囲見当合わせ装置、送り出しローラ、制御されるローラ、引込みローラ、巻き取り紙走行路、折りたたみ機の胴、三角板、および見当合わせ装置である。
【００４４】
印刷機の１つの機能に相応する印刷工程における変数を変更するために、これらの各々の構成要素には、この構成要素を操作する特別な操作部材が相応している。印刷機のこれら全機能については前述した通りである。
【００４５】
したがって、印刷機の印刷ユニットのインキつぼの操作部材は、インキつぼ調整ねじのモータであり、この場合、このモータは、インキつぼ調整ねじまたはインキノズルを開閉するために、そしてまた、この印刷工程におけるインキ量を変更するために、これらのインキつぼ調整ねじまたはインキノズルを操作するようになっており、この場合、この変数はこのインキの機能に依存する。
【００４６】
湿潤装置は、操作部材として、印刷ユニットにおける湿し水の調節のために備えられた湿し水配量装置を含んでおり、この場合、この湿し水の量は、印刷機の湿潤機能に関連している。
【００４７】
版胴の側部見当合わせ装置および周囲見当合わせ装置の操作部材は、印刷機におけるインキ被覆機能に相応するようなインキ層形成に適合するように、この側部見当合わせ装置および周囲見当合わせ装置を引き込むかもしくは押し出すことが可能なモータである。
【００４８】
送り出しローラ、制御されるローラ、および引込みローラは、印刷機の巻取り紙の保持機能に相応して巻取り紙の張り（張力）を調節することができるローラ上に支承されている変速駆動装置によって駆動される。
【００４９】
巻き取り紙走行路はターニングバーを含んでおり、その操作部材は、印刷された像の位置をカットに対して相対的に変更することができるターニングバーモータである。印刷された像の位置をカットに対して相対的に変更することは、機能「印刷される画像の、紙面または端縁に対する相対的な位置決め」に相応する。
【００５０】
そして、折りたたみ機の胴、三角板、および見当合わせ装置は、操作部材として、巻取り紙および／または仮とじ本における長い横方向折り目の精度を変更することが可能な調節装置またはモータを含んでいる。巻取り紙および／または仮とじ本における長い横方向折り目の精度を変更することは、機能「輪転印刷機の折りの正確さ」に相応する。
【００５１】
印刷制御装置は、試し刷りされた見本に関連するページ番号または巻取り紙番号、新聞の各段落、号および版、または該当する巻取り紙の紙面のような情報を読み取るとともに識別することができる自動ページ選択装置１３を含んでおり、この場合、これらの情報は、見本上へ印刷される像内へ組み込まれたコードの形で存在している。自動ページ選択装置１３は、カメラ、センサまたは他の光学式読み取り装置であってもよい。
【００５２】
特に図４で示されているように、分析テーブル７上に置かれた見本３３ａ，３３ｂは、見本に印刷される像内に組み込まれた指標３２ａ，３２ｂを含んでいる。
【００５３】
この指標３２ａ，３２ｂは、印刷物におけるページ位置のコード化のためのものである。この指標３２ａ，３２ｂは、点コードもしくは線コードとして、または各々の他のコードシステムとして形成することができる。
【００５４】
これらのコード３２ａ，３２ｂは、デジタル式印刷機の場合には直接的に像へ組み込むことができ、または、印刷ユニットの版胴の版上で直接的に形成する、つまりグラビア印刷工程における版胴上に刻むこともできる。
【００５５】
インキ噴射装置（インクジェットプリンタ）は、同様に各印刷ユニットのブランケット胴が各々回転する際に、印刷ユニットの機械的な制御に依存せずに、見本の各ページにコード３２ａ，３２ｂを印刷するようになっている。
【００５６】
見本に関連する情報を含むこれらのコードは、１つの原色のみで印刷することができる。
【００５７】
自動ページ選択装置１３が、試し刷りされる見本に関連する情報を識別することができる、ということから考えると、このページ選択装置１３は、前述の分析テーブルに位置決めされた見本上にある指標３２ａ，３２ｂの位置をマーキング３６に関連して求めて、印刷機の遠隔制御デスクに設けられている調節ボタン３５ａ，３５ｂを分析テーブル上のマーキング３６に関した前記見本の位置に応じてインキつぼ調整ねじに対応付けることもできる。
自動ページ選択装置は、見本の指標内に配置されたコードを読み取るカメラ１３を含んでいることが好ましい。
【００５８】
さらに、この印刷制御装置は、輪転印刷機１７に関する全情報を統合する記憶手段１４（データバンク）、より正確には、印刷機の操作部材の制御パラメータ２１、および所属の変数の表示パラメータ２２を記憶する記憶手段１４を有している。
【００５９】
特に図３からわかるように、印刷機２０の構造（モデル）に関するデータ、印刷される印刷物２３の形成（デザイン）に関するデータ、ターニングバーの傾斜構造（Rollneigung）２４の形成に関するデータ、印刷機の各々の構成部品における制御パラメータ２１に関するデータ、および、印刷工程の変数の表示パラメータ２２に関するデータが記憶手段１４によって記憶されることが可能である。
【００６０】
制御パラメータ２１は、既に述べたように印刷工程の変数を操作するために、様々な物理的な構成要素（印刷機の操作部材）を制御する方法を記述する。
【００６１】
例えば、インキつぼ調整ねじの制御モータとなり得る操作部材は、印刷機のインキ盛り機能に相応して所定のインキ量である、印刷工程の変数を操作する。
【００６２】
制御パラメータ２１は、印刷物またはターニングバーの傾斜構造にではなく、印刷機の構造に関連している。
【００６３】
印刷工程の変数の表示パラメータ２２は、印刷工程の変数がオペレータ１１にわかるようにするために、この変数を制御デスクでどのようにして表示することができるかについて示している。この表示パラメータ２２は、印刷機の構造に、そしてまた、ターニングバーの傾斜構造に関連している。
【００６４】
この変数は、印刷物に対する関係において表わされるが、輪転印刷機１７に対する関係においては表わされない。
【００６５】
印刷機１７の構成に関するデータは、印刷機の個々の物理的構成要素の識別およびナンバリングを含んでいる。これらのデータは、印刷機１７の構成、すなわち、印刷機１７の様々な構成要素の数および形状、すなわち例えば印刷ユニットの数、折りたたみ機のタイプ、ターニングバーの数、可能な巻取り紙走行路の数を正確に定めるようになっている。
【００６６】
印刷機のこの構成は、運転中は変更することができない。
【００６７】
印刷物２３の構造に関するデータは、仮とじ本あたりのセクション数、セクションあたりのページ数、ページあたりの色数、サイズのような、印刷される印刷物が組み合わされる方法についての正確な記述に相応している。
【００６８】
例えば図１では、タブロイドサイズの各２０ページの２つのセクション、すなわちセクションＡ、セクションＢを含む完成された見本８が示されている。
【００６９】
印刷物の構造は、もちろん印刷内容(像)の記述を特定しない。
【００７０】
ターニングバーの傾斜構造２４に関連するデータは、特定の印刷物構造を得るために用いられる印刷機１７の応用方法に相応する。この印刷物の構造は、印刷される印刷物と印刷機との間における関連要素を構成する。
【００７１】
これにより、特別に印刷される印刷物は、例えば特定の数の印刷機構成部品を使用する。同じ形態の印刷物は、様々なターニングバーの傾斜構造によって達成することができる。
【００７２】
さらに、データ記憶手段は、印刷機を起動する前にオペレータによって入力される印刷プログラム２５についてのデータを記憶することができる。この印刷プログラム２５は、与えられた時間内で実行されるタスクのリストを示している。印刷物形態によって記述される印刷物とターニングバーの傾斜構造との間に関連要素が生じ、このために、与えられた印刷機の印刷物の実現が可能になる。
【００７３】
さらに、印刷制御装置は問い合わせ手段１５を含んでいる。問い合わせ手段は、一方では自動ページ選択装置１３によって識別された情報から、他方ではオペレータにより遠隔制御デスクから入力されかつインターフェースシステム１２に転送された情報から出発して（この場これらの情報は、印刷機によって実行されるジョブの選択から、また、表示される、および／または変更される印刷機機能の選択から、また、色選択から構成されている）、そしてまたこの場合、記憶手段１４内に記憶されたデータから、各々のデータ、すなわち、印刷機の特別な構成部品、この構成部品の制御、所属する変数の表示に関連する各々のデータを探し出すことができるとともに、これらのデータをインターフェースシステム１２へ転送することができる。
【００７４】
インターフェースシステム１２は、それ自体で、前述の問い合わせ手段１５によって選択された変数を遠隔制御デスク６で指示することができる。また、このインターフェースシステム１２は、オペレータが、指示され選択された変数を印刷機の遠隔制御デスクを介して操作することができるような手段３７(図６参照)を含んでいる。
【００７５】
ここで注意するべきことは、自動的に自動ページ選択装置１３が、見本の上にある線コードもしくは点コードまたは任意のコードシステムの位置データを問い合わせ手段１５へ転送し、問い合わせ手段１５が、この線コードもしくは点コードまたは任意のコードシステムの位置データをインターフェースシステムへ転送して、調節ボタン３５ａ，３５に、分析テーブル７上のマーキング３６との関係における見本の前述の位置に対応して印刷機のインキつぼ調整ねじが割り当てられるようにすることである。
【００７６】
図５では、特に、版胴/ブランケット胴の回転毎に４つのページ４１，４２，４３，４４の印刷が可能となっているような巻取り紙幅を有する輪転印刷機の一例が示されている。
【００７７】
この場合、１つの印刷ユニットが、例えばイエローのインキを例えば最初の２つのページ４１，４２に印刷し、そして、１つの印刷ユニットが、例えばレッドのインキを例えば他の２つのページ４３，４４に印刷するようになっている(図５のステップ１参照)。
【００７８】
８ページの新聞の見本の印刷を実行するにあたっては、印刷ユニット出口における巻取り紙は２つのテープに分割される(図５のステップ２参照)。
【００７９】
第１のテープは、ページ４１，４２を含んでおり、そして、第２のテープは、ページ４３，４４を含んでいる。
【００８０】
この２つのテープを重ね合わせた後、印刷工は、所望の見本を、折りたたみ機の出口で保持する(図５のステップ３参照)。
【００８１】
オペレータが印刷機を遠隔制御デスク６で制御しようとするとともに、見本を印刷制御装置により検査しようとする場合、このオペレータは、見本をデスク６の分析テーブル７上に置き、そして、自動ページ選択装置１３は、ページ番号を識別するために、分析テーブル７上に置かれた見本上に印刷されたコードを認識する。
【００８２】
自動ページ選択装置１３は、これらの情報から、一方では、印刷機内でページがどのように印刷されるかについて物理的に確定し、他方では、制御されるインキモジュールに対するインキ装置３５の調節ボタンの割り当てを動的に実行することができる。
【００８３】
このシステムにより、オペレータは、分析テーブル上で見本を位置決めすることに対する要求から解放され、この結果、オペレータにとっては時間の節約になる。
【００８４】
図２に示された印刷制御装置は管理／制御システム１６も含んでいる。該管理／制御システムは、インターフェースシステム１２介して問い合わせ手段１５によって選択されたデータを考慮しかつ該問い合わせ手段１５によって選択された変数をオペレータが遠隔制御デスクで操作できるようにし、また、全データを輪転印刷機に転送して、印刷機の各構成要素の操作部材が確認され、また、この印刷工程で選択された変数が変更されるようにすることができる。
【００８５】
これにより、この管理／制御システム１６は、図２で示すように、印刷機１７の構成部品と直接に接続されている。
【００８６】
図６には、遠隔制御デスク６におけるオペレータによる印刷の制御が、前述の制御装置とともに示されている。
【００８７】
オペレータ１１は、記憶手段内に記憶された、印刷プログラム２５のデータに相応する、実行されるべきタスクを、インターフェースシステム１２を介して選択する。
【００８８】
さらに、このオペレータ１１が、このオペレータ自身によって検査され分析テーブル上に置かれた見本に基づいて、印刷工程の変数を変更しようとする場合、オペレータは、選択装置９を介して、１つの機能、すなわち、湿潤、インキ被覆、巻取り姿勢、印刷像の、サイドまたはカットに対する相対的な位置、折りたたみの正確性などのような１つの機能を選択する。
【００８９】
これに続いて、オペレータは、１つの色を選択する。これと同時に、自動ページ選択装置１３は、見本に関連する情報、すなわち見本上で印刷された像内へコードとして組み込まれた情報を読み取り、そして、この情報を問い合わせ手段１５へさらに送る。
【００９０】
インターフェースシステム１２にあっては、オペレータによって入力されたデータが、同じく問い合わせ手段１５へ転送される。
【００９１】
問い合わせ手段１５に転送された情報に基づき、この問い合わせ手段１５は、記憶手段１４から、運転される印刷機の特別な構成部品(操作部材)や、印刷機の前述の構成部品(操作部材)の制御や、所属の変数の表示に相応するデータを得る。
【００９２】
所属の変数の表示は、再び、インターフェースシステム１２へさらに転送され、これにより、この表示は、遠隔制御デスクの前に立つオペレータの前に現れる。
【００９３】
インターフェースシステム１２は、例えば図６に示す＋／−ボタンのような手段３７を備えており、このボタンにより、オペレータは、印刷機から離れた遠隔制御デスクから、選択され表示された変数を操作することができる。
【００９４】
ボタン３７を介してのオペレータの動作、および、操作部材の物理的選択に関して問い合わせ手段１５から送られてくる情報、そしてまた、操作部材の制御は、対応する操作部材が輪転印刷機１７内で作動し、また、選択された変数が印刷工程で変更されるように、管理／制御システム１６へ転送される。
【００９５】
手動による選択を補助的に用いることにより、オペレータは、印刷物に関連する情報、すなわち、ページ番号、新聞のセクション、巻取り紙の表面または裏面、版、新聞の版などを、直接に遠隔制御デスクで入力することができる。
【００９６】
これらの情報は、作動中の自動ページ選択装置１３によって自動的に検出される情報に相当する。
【００９７】
本発明は、ここに記載し図示した実施形態に限定されるものではなく、当業者であれば本発明の様々な変更についてもちろん想到可能である。
【図面の簡単な説明】
【図１】  本発明の輪転印刷機を示す概略図である。
【図２】  本発明の制御装置における様々な手段の配置を示すブロック図である。
【図３】  本発明の制御装置の記憶手段を示すブロック図である。
【図４】  本発明の輪転印刷機における遠隔制御デスクの分析テーブル面を示す概略図である。
【図５】  本発明の印刷機における、印刷された像の様々な時点での位置を示す概略図である。
【図６】  本発明の印刷制御装置の機能を示すブロック図である。
【符号の説明】
１，２  巻き取り紙
３  印刷ユニット
４  上部
５  下部
６  遠隔制御デスク
７  分析テーブル
８  見本
９  選択装置
１０  折りたたみユニット
１１  オペレータ
１２  インターフェースシステム
１３  自動ページ選択装置
１４  記憶手段
１５  問い合わせ手段
１６  管理／制御システム
１７  輪転印刷機
２０  印刷機
２１  制御パラメータ
２２  表示パラメータ
２３  印刷物
２４  ターニングバーの傾斜構造
２５  印刷プログラム
３２ａ，３２ｂ  指標
３５ａ，３５ｂ  ボタン
３６  マーキング
３７  ボタン
４１〜４４  ページ
【図１】
0004550180.tif 000002
【図２】
0004550180.tif 000003
【図３】
0004550180.tif 000004
【図４】
0004550180.tif 000005
【図５】
0004550180.tif 000006
【図６】
0004550180.tif 000007